(57)【特許請求の範囲】
【請求項１】
スケジューリングシステムがセルにおけるユーザー数に応じて時間領域に必要な符号数を計算し、時間領域に必要な符号数に応じて時分割デュプレックス（ＴＤＤ）スロット設定を確定して前記ＴＤＤスロット設定をベースバンドユニットによってＲＦユニットに送信すること、および、
ＲＦユニットは受信したＴＤＤスロット設定によって送受信スロットのＴＤＤ制御信号を生成すること、を含み、
時間領域に必要な符号数に応じてＴＤＤスロット設定を確定するステップは、
０〜下りサブフレームスロットが占める符号の総数を少なくとも２つの閾値範囲に分け、前記時間領域に必要な符号数が所在する閾値範囲を判断し、該閾値範囲に対応するＴＤＤスロット設定を最終に確定したＴＤＤスロット設定とし、該閾値範囲に対応するＴＤＤスロット設定が該閾値範囲の最大の符号数に対応するＴＤＤスロット設定より小さくないことを含む時分割デュプレックスシステムの消費電力を低減する方法。
【請求項２】
前記方法はさらに、前記ＲＦユニットが前記ＴＤＤスロット設定に応じて前記セルにおける送受信スロットの時分割デュプレックス制御信号を生成することを含む請求項１に記載の方法。
【請求項３】
該方法はさらに、
スケジューリングシステムはセル内におけるユーザー数に応じて時間領域に必要な符号数を計算する前に、トリガ条件を満足するかどうかを判断し、満足すると、セルにおけるユーザー数に応じて時間領域に必要な符号数を計算する請求項１又は２に記載の方法。
【請求項４】
前記トリガ条件は、
前記セルにおけるユーザー数が変わる、或いは、
前記セルにおけるユーザー数の変化振幅が予め設定された閾値を超える、或いは、
判定周期に達することである請求項３に記載の方法。
【請求項５】
前記判定周期が、システムに発生した１つの時分割多重化フレームの長さである請求項４に記載の方法。
【請求項６】
ＴＤＤスロット設定をベースバンドユニットによってＲＦユニットに送信するステップは、
前記スケジューリングシステムが前記ＴＤＤスロット設定を前記ベースバンドユニットに送信し、前記ベースバンドユニットが前記ＴＤＤスロット設定をメディアストリームにセットして前記ＲＦユニットに伝送することを含む請求項５に記載の方法。
【請求項７】
時分割デュプレックスシステムの消費電力を低減するシステムであって、計算モジュール、設定モジュール及び送信モジュールを含み、
前記計算モジュールは、セルにおけるユーザー数に応じて時間領域に必要な符号数を計算するように設置され、
前記設定モジュールは、時間領域に必要な符号数に応じて時分割デュプレックス（ＴＤＤ）スロット設定を確定するように設置され、
前記送信モジュールは、前記ＴＤＤスロット設定をベースバンドユニットによってＲＦユニットに送信することにより、ＲＦユニットは受信したＴＤＤスロット設定によって送受信スロットのＴＤＤ制御信号を生成するように設置され、
前記設定モジュールが、
０〜下りサブフレームスロットが占める符号の総数を少なくとも２つの閾値範囲に分け、前記時間領域に必要な符号数が所在する閾値範囲を判断し、該閾値範囲に対応するＴＤＤスロット設定を、最終に確定されるＴＤＤスロット設定とし、該閾値範囲に対応するＴＤＤスロット設定が該閾値範囲の最大の符号数に対応するＴＤＤスロット設定より小さくないとの方式でＴＤＤスロット設定を確定するように設置される時分割デュプレックスシステムの消費電力を低減するシステム。
【請求項８】
該システムはさらに判断モジュールを含み、
前記判断モジュールは、セルにおけるユーザー数に応じて時間領域に必要な符号数を計算する前に、トリガ条件を満足するかどうかを判断し、満足すると、セルにおけるユーザー数に応じて時間領域に必要な符号数を計算するよう前記計算モジュールに通知するように設置される請求項７に記載のシステム。
【請求項９】
前記トリガ条件は、
前記セルにおけるユーザー数が変わる、或いは、
前記セルにおけるユーザー数の変化振幅が予め設定された閾値を超える、或いは、
判定周期に達することである請求項８に記載のシステム。
【請求項１０】
前記判定周期がシステムに発生した１つの時分割多重化フレームの長さである請求項９に記載のシステム。
【請求項１１】
前記送信モジュールはさらに、
前記ＴＤＤスロット設定を前記ベースバンドユニットに送信し、前記ベースバンドユニットが前記ＴＤＤスロット設定をメディアストリームにセットして前記ＲＦユニットに送信するように設置される請求項１０に記載のシステム。
【発明の詳細な説明】
【技術分野】
【０００１】
本発明は時分割デュプレックス（ＴＤＤ、Ｔｉｍｅ Ｄｉｖｉｓｉｏｎ Ｄｕａｌ）システムの消費電力分野に関し、具体的に、ＴＤＤシステムの消費電力を低減する方法及びシステムに関する。
【背景技術】
【０００２】
従来の無線通信システムにおいて、消費電力問題がますます重要になる問題の１つになっていて、各種のシステムがともに全力を尽くしてこの問題に対して最適化処理を行う。
【０００３】
ＴＤＤシステムにとって、通常、送受信スロットがリモート無線ユニット（ＲＲＵ、Ｒｅｍｏｔｅ Ｒａｄｉｏ Ｕｎｉｔ）の各部分の電源に応じてＴＤＤ制御を行って消費電力を低減する目的に達する。パワーアンプの消費電力がシステム消費電力の主体を占め、従来、パワーアンプの効率がともに全出力に基づいて提案するものであり、実際に作動する際にパワーアンプがほとんどの時間でフォールバック状態に作動するが、このときのパワーアンプの効率が非常に低く、特に夜で基本的にアクティブユーザーがない時間である。
【発明の概要】
【発明が解決しようとする課題】
【０００４】
本発明は従来の時分割デュプレックスシステムがフォールバック状態にパワーアンプの消費電力が高く、効率が低い問題を解決するために、時分割デュプレックスシステム消費電力を低減する方法及びシステムを提出する。
【課題を解決するための手段】
【０００５】
時分割デュプレックスシステムパワーを低減する方法であって、
スケジューリングシステムがセルにおけるユーザー数に応じて時間領域に必要な符号数を計算し、時分割デュプレックス（ＴＤＤ）スロット設定を確定してベースバンドユニットによってＲＦユニットに送信することを含む。
【０００６】
その中、前記方法はさらに、前記ＲＦユニットが前記ＴＤＤスロット設定に応じて前記セルにおける送受信スロットの時分割デュプレックス制御信号を生成することを含む。
【０００７】
その中、０〜シンボルの完全(the number of full symbols)を少なくとも２つの閾値範囲に分け、
前記したＴＤＤスロット設定を確定するのは、
前記時間領域に必要な符号数が所在する閾値範囲を判断し、該閾値範囲が対応するＴＤＤスロット設定を最終に確定したＴＤＤスロット設定としてベースバンドユニットに送信し、該閾値範囲に対応するＴＤＤスロット設定が該閾値範囲の最大の符号数に対応するＴＤＤスロット設定より小さくないことを含む。
【０００８】
その中、前記したＴＤＤスロット設定を確定するのは、前記時間領域に必要な符号数に対応するＴＤＤスロット設定を最終に確定したＴＤＤスロット設定としてベースバンドユニットに送信することを含む。
【０００９】
その中、スケジューリングシステムはセル内におけるユーザー数に応じて時間領域に必要な符号数を計算する前に、さらにトリガ条件を満足するかどうかを判断し、満足すると、セルにおけるユーザー数に応じて時間領域に必要な符号数を計算する。
【００１０】
その中、前記トリガ条件は、前記したセルにおけるユーザー数が変わって、或いは、前記したセルにおけるユーザー数の変化振幅が予め設定された閾値を超え、或いは、判定周期に達することである。
【００１１】
その中、前記判定周期がシステムに発生した１つの時分割多重化フレームの長さである。
【００１２】
その中、前記したＴＤＤスロット設定をベースバンドユニットによってＲＦユニットに送信するのは、前記スケジューリングシステムが前記ＴＤＤシステム設定をベースバンドユニットに送信し、前記ベースバンドユニットが前記ＴＤＤスロット設定をメディアストリームにセットして前記ＲＦユニットに伝送することを含む。
【００１３】
時分割デュプレックスシステムパワーを低減するシステムであって、計算モジュール、設定モジュール及び送信モジュールを含み、
前記計算モジュールは、セルにおけるユーザー数に応じて時間領域に必要な符号数を計算することに用いられ、
前記設定モジュールは、時間領域に必要な符号数に応じて時分割デュプレックス（ＴＤＤ）スロット設定を確定することに用いられ、
前記送信モジュールは、前記ＴＤＤスロット設定をベースバンドに送信することに用いられる。
【００１４】
その中、前記設定モジュールは０〜シンボルの完全を少なくとも２つの閾値範囲に分け、前記時間領域に必要な符号数が所在する閾値範囲を判断し、該閾値範囲に対応するＴＤＤスロット設定を最終に確定したＴＤＤスロット設定としてベースバンドユニットに送信し、該閾値範囲に対応するＴＤＤスロット設定が該閾値範囲の最大の符号数に対応するＴＤＤスロット設定より小さくない。
【００１５】
時分割デュプレックスシステム消費電力を低減する方法であって、
スケジューリングシステムがセルにおけるユーザー数に応じて時間領域に必要な符号数を計算し、時間領域に必要な符号数に応じて時分割デュプレックス（ＴＤＤ）スロット設定を確定して前記ＴＤＤスロット設定をベースバンドユニットによってＲＦユニットに送信することを含む。
【００１６】
該方法はさらに、前記ＲＦユニットが前記ＴＤＤスロット設定に応じて前記セルにおける送受信スロットの時分割デュプレックス制御信号を生成することを含む。
【００１７】
その中、時間領域に必要な符号数に応じてＴＤＤスロット設定を確定するステップは、
０〜シンボルの完全を少なくとも２つの閾値範囲に分けること、
前記時間領域に必要な符号数が所在する閾値範囲を判断し、該閾値範囲に対応するＴＤＤスロット設定を最終に確定したＴＤＤスロット設定として、該閾値範囲に対応するＴＤＤスロット設定が該閾値範囲の最大の符号数に対応するＴＤＤスロット設定より小さくないことを含む。
【００１８】
その中、時間領域に必要な符号数に応じてＴＤＤスロット設定を確定するステップは、
前記時間領域に必要な符号数に対応するＴＤＤスロット設定を最終に確定したＴＤＤスロット設定とすることを含む。
【００１９】
該方法はさらに、
スケジューリングシステムがセルにおけるユーザー数に応じて時間領域に必要な符号数を計算する前に、トリガ条件を満足するかどうかを判断し、満足すると、セルにおけるユーザー数に応じて時間領域に必要な符号数を計算することを含む。
【００２０】
その中、前記トリガ条件は、
前記したセルにおけるユーザー数が変わって、或いは、
前記したセルにおけるユーザー数の変化振幅が予め設定された閾値を超え、或いは、
判定周期に達することである。
【００２１】
その中、前記判定周期がシステムに発生した１つの時分割多重化フレームの長さである。
【００２２】
その中、ＴＤＤスロット設定をベースバンドユニットによってＲＦユニットに送信するステップは、
前記スケジューリングシステムが前記ＴＤＤスロット設定を前記ベースバンドユニットに送信し、前記ベースバンドユニットが前記ＴＤＤスロット設定をメディアストリームにセットして前記ＲＦユニットに伝送することを含む。
【００２３】
時分割デュプレックスシステム消費電力を低減するシステムであって、計算モジュール、設定モジュール及び送信モジュールを含み、
前記計算モジュールは、セルにおけるユーザー数に応じて時間領域に必要な符号数を計算するように設置され、
前記設定モジュールは、時間領域に必要な符号数に応じて時分割デュプレックス（ＴＤＤ）スロット設定を確定するように設置され、
前記送信モジュールは、前記ＴＤＤスロット設定をベースバンドユニットによってＲＦユニットに送信する。
【００２４】
その中、前記設定モジュールが以下のようにＴＤＤスロット設定を確定するように設置され、
０〜シンボルの完全を少なくとも２つの閾値範囲に分け、前記時間領域に必要な符号数が所在する閾値範囲を判断し、該閾値範囲に対応するＴＤＤスロット設定を最終に確定したＴＤＤスロット設定として、該閾値範囲に対応するＴＤＤスロット設定が該閾値範囲の最大の符号数に対応するＴＤＤスロット設定より小さくない。
【００２５】
その中、前記設定モジュールが以下のようにＴＤＤスロット設定を確定するように設置され、
前記時間領域に必要な符号数に対応するＴＤＤスロット設定を最終に確定したＴＤＤスロット設定とする。
【００２６】
該システムはさらに判断モジュールを含み、
前記判断モジュールは、セルにおけるユーザー数に応じて時間領域に必要な符号数を計算する前に、トリガ条件を満足するかどうかを判断し、満足すると、前記計算モジュールを通知してセルにおけるユーザー数に応じて時間領域に必要な符号数を計算するように設置される。
【００２７】
その中、前記トリガ条件は、
前記したセルにおけるユーザー数が変わって、或いは、
前記したセルにおけるユーザー数の変化振幅が予め設定された閾値を超え、或いは、
判定周期に達することである。
【００２８】
その中、前記判定周期がシステムに発生した１つの時分割多重化フレームの長さである。
【００２９】
その中、前記送信モジュールはさらに、
前記ＴＤＤスロット設定を前記ベースバンドユニットに送信し、前記ベースバンドユニットが前記ＴＤＤスロット設定をメディアストリームにセットして前記ＲＦユニットに送信するように設置される。
【発明の効果】
【００３０】
上記の技術案はスケジューリングサブシステムによって現在ユーザー数を監視して時間領域に必要な符号数を計算することによって下りに占める必要なスロット長さを取得してパワーアンプの作動時間を制御し、フルユーザーである使用を満足することができるだけでなく、ユーザーなし或いは少ないユーザーである際に最小の消費電力で作動することができる。
【図面の簡単な説明】
【００３１】
【図１】図１はＷＩＭＡＸシステムの通常の設定モードでパワーアンプの時分割デュプレックス制御の模式図である。
【図２】図２はＷＩＭＡＸシステムで本発明のプランと元のプランのパワーアンプの時分割デュプレックス制御の比較模式図である。
【図３】図３は本発明における実施例のＷＩＭＡＸシステムパワーアンプの時分割デュプレックス制御の粗調整プラン協調プロセスの模式図である。
【図４】図４は本発明における実施例のＷＩＭＡＸシステムパワーアンプの時分割デュプレックス制御の微調整プラン協調プロセスの模式図である。
【発明を実施するための形態】
【００３２】
本発明の目的、技術案及びメリットをより明らかになるため、以下で、図面に基づいて本発明の実施例を詳細に説明する。説明する必要なのは、衝突しない場合に、本出願における実施例及び実施例における特徴は互いに任意に組み合わせることができる。
【００３３】
本発明は無線時分割デュプレックスシステムに適用し、特に無線通信分野ワールド ワイド・インターオペラビリティ・フォー・マイクロウェーブ・アクセス（ＷＩＭＡＸ、Ｗｏｒｌｄｗｉｄｅ Iｎｔｅｒｏｐｅｒａｂｉｌｉｔｙ ｆｏｒ Ｍｉｃｒｏｗａｖｅ Ａｃｃｅｓｓ）システムとＴＤＤロング・ターム・エボリューション（ＬＴＥ、 Ｌｏｎｇ Ｔｅｒｍ Ｅｖｏｌｕｔｉｏｎ）システムに適用する。
【００３４】
（実施例１）
本実施例はＷＩＭＡＸ分散型基地局の時分割デュプレックスシステムの応用を例とする。図３に基づいて、室内ベースバンド処理ユニット（ＢＢＵ、Ｂｕｉｌｄｉｎｇ Ｂａｓｅｂａｎｄ Ｕｎｉｔ）+ ＲＲＵ分散型基地局の時分割デュプレックスシステムの粗調整プランについて、具体的な過程が以下である。
【００３５】
ステップ１１、通電の初めに、ＢＢＵがシンボルの完全でのスロット設定に従って、メッセージをＲＲＵに送信し、ＲＲＵが該スロット設定に従ってパワーアンプの時分割デュプレックス制御を行う。
【００３６】
ステップ１２、セルを建てた後、スケジューリングサブシステムがリアルタイム検出プロセスを起動し、リアルタイム検出プロセスが現在のユーザー数を監視し、
ステップ１３、スケジューリングサブシステムが現在のユーザー数に応じて時間領域に必要な符号数を計算し、時間領域に必要な符号数に応じてスロット設定を確定し、スロット設定をＢＢＵに送信する。
【００３７】
０〜シンボルの完全を少なくとも２つの閾値範囲に分け、
前記時間領域に必要な符号数が所在する閾値範囲を判断し、該閾値範囲に対応するＴＤＤスロット設定を最終に確定したＴＤＤスロット設定としてベースバンドユニットに送信し、該閾値範囲に対応するＴＤＤスロット設定が該閾値範囲の最大の符号数に対応するＴＤＤスロット設定より小さくない。
【００３８】
例えば、閾値範囲が [０, ｃｅｉｌ（シンボルの完全/２）]、[ｃｅｉｌ（シンボルの完全/２）, シンボルの完全]であってもよく、
ｃｅｉｌ（シンボルの完全/２）≦時間領域に必要な符号数≦シンボルの完全であると、シンボルの完全でのスロット設定でベースバンドに送信し、
時間領域に必要な符号数＜ｃｅｉｌ（シンボルの完全/２）であると、ｃｅｉｌ（シンボルの完全/２）でのスロット設定でベースバンドに送信し、
その中、ｃｅｉｌがシーリング演算を表す。
【００３９】
ＷＩＭＡＸシステムの３１：１５符号数設定を（即ち下り３１個の符号、上り１５個の符号）例として説明し、１６≦時間領域に必要な符号数≦３１を満足する時に、下り符号数が３１である場合のスロット設定に従って送信し、時間領域に必要な符号数＜１６を満足する際に、下り符号数が１６である場合のスロット設定に従って送信する。
【００４０】
上記閾値範囲が例示のみであり、必要に応じてより多くの閾値範囲、例えば、３つ或いは４つの閾値範囲を設置してもよい。
【００４１】
その中、スケジューリングシステムがセルにおけるユーザー数に応じて時間領域に必要な符号数を計算する前に、さらにトリガ条件を満足するかどうかを判断し、満足すると、セルにおけるユーザー数に応じて時間領域に必要な符号数を計算する。前記トリガ条件は、前記セルにおけるユーザー数が変わって、或いは、前記セルにおけるユーザー数の変化振幅が予め設定された閾値を超えることである。
【００４２】
ステップ１４、ＢＢＵがハイレベルデータリンク制御（ ＨＤＬＣ、Ｈｉｇｈ-Ｌｅｖｅｌ Ｄａｔａ Ｌｉｎｋ Ｃｏｎｔｒｏｌ）信号チャネルによってスロット設定を光ファイバーによってＲＲＵに伝達する。
【００４３】
ステップ１５、タイミング信号が来る際に、ＲＲＵが変換した後のスロット設定に応じて新たな送受信スロットのＴＤＤ制御信号を生成する。
【００４４】
（実施例２）
図４に基づいて、ＢＢＵ+ＲＲＵ分散型基地局の時分割デュプレックスシステムの精調整プランについて、具体的な過程は以下である。
【００４５】
ステップ２１、通電の初めに、ＢＢＵがシンボルの完全でのスロット設定に従って、メッセージをＲＲＵに送信し、ＲＲＵが該スロット設定に従ってパワーアンプの時分割デュプレックス制御を行い、
ステップ２２、セルを建てた後、スケジューリングサブシステムがリアルタイム検出プロセスを起動し、リアルタイム検出プロセスが現在のユーザー数を監視し、
ステップ２３、判定周期が到達する際に、スケジューリングサブシステムが検出したユーザー数に応じて時間領域に必要な符号数を計算し、ＴＤＤスロット設定を確定してＢＢＵに伝送し、
ここでのスロット設定が時間領域に必要な符号数に実際に対応するＴＤＤスロット設定であり、
本実施例において、判定周期がシステムに発生した時分割多重化フレームの長さであり、前記判定周期がＫ個の時分割多重化フレームの長さであってもよく、Ｋが自然数であり、Ｋが必要に応じて設定してもよいし、或いは、判定周期が他の値であってもよい。
【００４６】
ステップ２４、ベースバンドがメディアストリームにＴＤＤスロット設定情報を挿入し、フレーミングした後光ファイバーによってＲＲＵに伝送する。
【００４７】
ステップ２５、ＲＲＵがデフレーミングした後、このフレームのＴＤＤスロット設定を取得する。
【００４８】
ステップ２６、タイミング信号が来る際に、ＲＲＵが変更した後のこのフレームのＴＤＤスロット設定に応じて新たな送受信スロットのＴＤＤ制御信号を生成する。
【００４９】
ＷＩＭＡＸ分散型基地局がＰＰ２Ｓをタイミング信号として採用し、各のフレームの時間間隔が５ｍｓである。
【００５０】
図２によって分かるように、ユーザー数に応じて調整した後のパワーアンプＴＤＤがシンボルの完全設定のＴＤＤ時間より短く、効果的にパワーアンプパワーパワーアンプの消費電力を低減する。
【００５１】
実施例１、２における一部の特徴が組み合わせることができ、例えば、実施例１において、ＲＲＵがメディアストリームによってＴＤＤスロット設定をＢＢＵに伝送してもよく、実施例２において、時間領域に必要な符号数に応じてスロット設定を確定する際に、予め設定された閾値範囲に応じて最後のＴＤＤスロット設定を確定してもよい。衝突しない場合に、実施例１、２における特徴が任意に組み合わせることができる。
【００５２】
上記の２種類のプランを採用してパワーアンプのＴＤＤ制御信号を生成することは、効果的にパワーアンプの消費電力を低減し、さらにパワーアンプの作動効率を向上させる。
【００５３】
上記の粗調整と微調整プランの比較分析を分かるように、分散型基地局の時分割デュプレックスシステムに対して、ＢＢＵ +ＲＲＵ、粗調整プランがスケジューリングサブシステムの媒体アクセス制御（ＭＡＣ、Ｍｅｄｉｕｍ Ａｃｃｅｓｓ Ｃｏｎｔｒｏｌ）スケジューリング任務を利用してリアルタイム検出プロセスを起動し、従来のＨＤＬＣチャンネルを利用してリアルタイムにスロット設定バラメータを伝達し、実現が相対的に簡単で、パワーアンプの消費電力を低減することができる。微調整プランがリアルタイムに各のフレームデータを制御するため、スロット設定メッセージに対する伝達要求がより速く、底層のメディアストリームによって伝達するため、スケジューリングと底層リンクの実現が相対的に複雑であるが、制御が正確であり、最大限にパワーアンプの消費電力を低減させる。
【００５４】
時分割デュプレックス一体化基地局について２種類のプランの実現がともに簡単であり、スケジューリングサブシステムが符号数の計算後にベースバンドに伝送し、直接にベースバンドによりリアルタイムな符号数設定に応じてパワーアンプのＴＤＤ制御信号を生成すればよく、ベースバンドとＲＲＵの間の伝送を減少するため、一体化基地局について、微調整プランがより多くの優勢を有する。
【００５５】
図１と図２を参照し、図１と図２におけるＴＴＧが下りサブフレームを上りサブフレームに切り替える間隔期間を表し、ＲＴＧが上りサブフレームを下りサブフレームに切り替える間隔期間を表す。例えば、フルユーザーである際に、パワーアンプ効率が３０%であり、１/３ユーザーである際に、パワーアンプ効率が１８%になって、本発明の前記方法を採用して１/３ユーザーである場合のパワーアンプの効率をやはり３０%と相当させる。
【００５６】
本発明の前記方法は効果的にパワーアンプの消費電力を低減でき、ＴＤＤシステムがマルチユーザーと少数のユーザーである場合に効率を相当させ、また、本発明がシステムの放熱にも有利である。
【００５７】
本発明の実施例における時分割デュプレックスシステム消費電力を低減するシステムであって、計算モジュール、設定モジュール及び送信モジュールを含み、
前記計算モジュールは、セルにおけるユーザー数に応じて時間領域に必要な符号数を計算するように設置され、
前記設定モジュールは、時間領域に必要な符号数に応じて時分割デュプレックス（ＴＤＤ）スロット設定を確定するように設置され、
前記送信モジュールは、前記ＴＤＤスロット設定をベースバンドユニットによってＲＦユニットに送信する。
【００５８】
その中、前記設定モジュールが以下のようにＴＤＤスロット設定を確定するように設置され、
０〜シンボルの完全を少なくとも２つの閾値範囲に分け、前記時間領域に必要な符号数が所在する閾値範囲を判断し、該閾値範囲に対応するＴＤＤスロット設定を最終に確定したＴＤＤスロット設定として、該閾値範囲に対応するＴＤＤスロット設定が該閾値範囲の最大の符号数に対応するＴＤＤスロット設定より小さくない。
【００５９】
その中、前記設定モジュールが以下のようにＴＤＤスロット設定を確定するように設置され、
前記時間領域に必要な符号数に対応するＴＤＤスロット設定を最終に確定したＴＤＤスロット設定とする。
【００６０】
該システムはさらに判断モジュールを含み、
前記判断モジュールは、セルにおけるユーザー数に応じて時間領域に必要な符号数を計算する前に、トリガ条件を満足するかどうかを判断し、満足すると、前記計算モジュールを通知してセルにおけるユーザー数に応じて時間領域に必要な符号数を計算するように設置される。
【００６１】
前記トリガ条件は、
前記したセルにおけるユーザー数が変わって、或いは、
前記したセルにおけるユーザー数の変化振幅が予め設定された閾値を超え、或いは、
判定周期に達することである。
【００６２】
その中、前記判定周期がシステムに発生した１つの時分割多重化フレームの長さである。
【００６３】
その中、前記送信モジュールはさらに、
前記ＴＤＤスロット設定を前記ベースバンドユニットに送信し、前記ベースバンドユニットが前記ＴＤＤスロット設定をメディアストリームにセットして前記ＲＦユニットに送信するように設置される。
【００６４】
本分野の普通な当業者にとっては、上記方法における全部或いは一部のステップはプログラムによって関連ハードウェアを指令して完成することができ、上記プログラムはコンピュータの読み取り可能な記憶媒体、例えば、読み取り専用メモリ、ディスク或いはＣＤ等に記憶されることができることが分ることができる。選択的に、上記実施例における全部或いは一部のステップは、１つ或いは複数の集積回路を用いて実現することもできる。相応的に、上記実施例における各モジュール/ユニットはハードウェアの形式で実現でき、ソフトウェア機能モジュールの形式で実現しても良い。本発明はいずれかの特定形式のハードウェアとソフトウェアとの結合に限られない。
【００６５】
以上の実施例が制限ではなく、本発明の技術プランを説明するものだけであり、ただ好ましい実施例を参照して本発明を詳細に説明する。当業者にとって、本発明の技術プランを修正、等同切替を行うことができ、本発明の精神と原則を逸脱しない限りにおいて、いずれも本発明の特許請求に含まれる。
【産業上の利用可能性】
【００６６】
上記の技術案はスケジューリングサブシステムによって現在ユーザー数を監視して時間領域に必要な符号数を計算することによって下りに占める必要なスロット長さを取得してパワーアンプの作動時間を制御し、フルユーザーである使用を満足することができるだけでなく、ユーザーなし或いは少ないユーザーである際に最小の消費電力で作動することができる。従って、本発明は強い工業実用性を有する。
【図１】
0005774730.tif 000002
【図２】
0005774730.tif 000003
【図３】
0005774730.tif 000004
【図４】
0005774730.tif 000005